(57)【特許請求の範囲】
【請求項１】
コンクリートの成形加工により形成される漁礁ブロックであって、ブロック本体の表面からフランジ状の金属板を延出させ、
該フランジ状の金属板にはブロック本体外形より小さい内穴が開けられ、該内穴がコンクリートで充填されていることを特徴とする漁礁ブロック。
【請求項２】
前記フランジ状の金属板は、ブロック本体に挟み込んで埋め込まれていることを特徴とする請求項１記載の漁礁ブロック。
【請求項３】
前記フランジ状の金属板が複数個あることを特徴とする請求項１記載の漁礁ブロック。
【請求項４】
前記フランジ状の金属板は、鉄製であることを特徴とする請求項１記載の漁礁ブロック。
【請求項５】
前記フランジ状の金属板は、その表面に魚集効果のある薬剤が塗布されていることを特徴とする請求項１記載の漁礁ブロック。
【請求項６】
前記ブロック本体に中空部を有することを特徴とする請求項１記載の漁礁ブロック。
【請求項７】
第１型枠と第２型枠により内穴を有する金属板を挟み込み、その後、第１型枠のキャビティと第２型枠のキャビティとに金属板の内穴を通してコンクリートを充填一体化し、ブロック本体の表面から金属板を延出させた漁礁ブロックを形成することを特徴とする漁礁ブロックの製造方法。
【請求項８】
金属板は第１型枠と第２型枠との相互の接合端面で把持して固定することを特徴とする請求項７記載の漁礁ブロックの製造方法。
【発明の詳細な説明】
【０００１】
【発明の属する技術分野】
本発明は、微生物や藻などを繁殖させて魚が集まるようにする漁礁ブロックおよびその製造方法に関するものである。
【０００２】
【従来の技術】
漁礁は当初、古い漁船や自動車等の廃棄物をほぼそのままのかたちで海底等に沈めて利用するものであった。
近年では強度、経済性等の点からコンクリートで漁礁を形成することが盛んに行われている。
【０００３】
このコンクリート製の漁礁においては、形に特有の形状を有することで魚集効果を期待するものがあるが、最近、金属、特にその腐食性を利用して、海草等の繁殖効果をあげる方法が開発されている。
例えば、実開平６−９４５３号公報には、漁礁本体の表面に海草などの海洋微生物が付着発生繁茂する金属面（皮膜）を金属溶射を使って形成した漁礁が開示されている。
【０００４】
海底に投下させることによって漁礁本体の金属面が腐食して錆を発生させることで、従来のコンクリート製のものに比べて短期間で海草を発生繁茂させるというものである。
しかし、このように表面に皮膜状の金属面を形成した点では、金属が腐食により減耗し易く、長期間使用すると効果が消失し耐久性に欠ける。
【０００５】
また、特開平２−７２８１４号公報には、海老類についてであるが、ブロック本体の壁面に多数の凹部を形成し、この凹部内に金属製パイプを装着した漁礁により、海老の産卵と着底を促進する技術が示されている。
しかし、このような壁面の多くの凹部に金属製パイプを設けるものは、金属パイプを成形と同時に埋め込む場合においても、漁礁の形成後に取り付ける場合においても、製造工数が多く複雑となり、コスト的に不利である。
【０００６】
【発明が解決しようとする課題】
本発明はかかる実状をもとに開発されたものである。
すなわち、本発明の目的は、製造が容易で、且つ耐久性のある漁礁ブロックを提供することである。
更には、その漁礁ブロックを容易に製造する方法を提供することである。
【０００７】
【課題を解決するための手段】
しかして、本発明者等は、このような課題に対して、鋭意研究を重ねた結果、漁礁ブロックで金属板を挟み込んで一体化することで上記の問題点を解決できることを見出し、この知見に基づいて本発明を完成させたものである。
【０００８】
即ち、本発明は、（１）、コンクリートの成形加工により形成される漁礁ブロックであって、ブロック本体の表面からフランジ状の金属板を延出させ、該フランジ状の金属板にはブロック本体外形より小さい内穴が開けられ、該内穴がコンクリートで充填されている漁礁ブロックに存する。
【０００９】
そして、（２）、前記フランジ状の金属板は、ブロック本体に挟み込んで埋め込まれている上記（１）記載の漁礁ブロックに存する。
【００１１】
そしてまた、（３）、前記フランジ状の金属板が複数個ある上記（１）記載の漁礁ブロックに似存する。
【００１２】
そしてまた、（４）、前記フランジ状の金属板は、鉄製である上記（１）記載の漁礁ブロックに存する。
【００１３】
そしてまた、（５）、前記フランジ状の金属板は、その表面に魚集効果のある薬剤が塗布されている上記（１）記載の漁礁ブロックに存する。
【００１４】
そしてまた、（６）、前記ブロック本体に中空部を有する上記（１）記載の漁礁ブロックに存する。
【００１５】
そしてまた、（７）、第１型枠と第２型枠により内穴を有する金属板を挟み込み、その後、第１型枠のキャビティと第２型枠のキャビティとに金属板の内穴を通してコンクリートを充填一体化し、ブロック本体の表面から金属板を延出させた漁礁ブロックを形成する漁礁ブロックの製造方法に存する。
【００１６】
そしてまた、（８）、金属板は第１型枠と第２型枠との相互の接合端面で把持して固定する上記（７）記載の漁礁ブロックの製造方法に存する。
本発明は、この目的の沿ったものであれば、上記１〜６の中から選ばれた２つ以上を組み合わせた構成も採用可能である。
本発明によれば、ブロック本体にフランジ状の金属板を延出させたことにより、該金属板の露出面を大きくすることで腐食性を高めると共に、延出したフランジ状の金属板により十分な魚の居場所を確保することができる。
【００１７】
【発明の実施の形態】
以下、図面に基づき、本発明による漁礁ブロックの好適な実施の形態を説明する。
【００１８】
〔第１の実施の形態〕
図１は、本発明の漁礁ブロックの斜視図である。
また図２は、本発明の漁礁ブロックを示し、（Ａ）は正面図、（Ｂ）は側面図である。
ここでの漁礁ブロック１０は、型枠のキャビテイに生コンを流し込むコンクリートの成形加工により製造される。
ブロック本体１１の中間部位の適所には、表面からフランジ状の金属板１２が延出されている。
【００１９】
この金属板１２は、ブロック本体１１により挟み込まれるようにして埋め込まれている。
すなわち、外観的には、片ブロック体１１１と片ブロック体１１２とで金属板１を把持するような状態である。
漁礁ブロック１０に使用される金属板１２は、腐食性のある金属が採用され、特に鉄製のものが好ましい。
【００２０】
この漁礁ブロック１０において、ブロック本体１１は、断面が十字状を有するものである。
金属板１２は、円形に形成され、また、金属板１２はブロック本体１１の適所、ここでは中央部に１枚設けられる。
図３は、図１のＡーＡ断面である。
図から明らかなように、金属板１２には、ブロック本体の外形１１Ａに合わせてひと回り小さい十字状の内穴１２Ａがくり抜かれており、この内穴１２Ａにもコンクリートが充填されている。
ここで、金属板１２に設けられたボルト穴１２Ｂは、後述する金型の締め付け用のボルトを通すための穴である。
【００２１】
図４は、漁礁ブロック１０を形成するための型枠１００を示している。
この型枠１００は、上型枠１０１と下型枠１０２を有する。
上型枠１０１および下型枠１０２は、ブロック本体１１の上下部分を成形するためのキャビティ１０１Ａおよびキャビティ１０２Ａを有する。
上型枠１０１および下型枠１０２の接合端面には複数箇所の対応する位置にリブ１０１Ｂおよび１０２Ｂが設けられている。
【００２２】
上下枠と下型枠とは、金属板を両型枠の接合端面で把持して固着具であるボルト１０３等を用いて締結することで、一体となった型枠１００が得られる。
なお、上述したように、金属板１２には、上型枠１０１および下型枠１０２のキャビティ１０１Ａおよびキャビティ１０２Ａ（これらがブロック本体の外形となる）よりも一回り程度小さい内穴１２Ａが形成されている。
【００２３】
いま、型枠１００を用いて漁礁ブロック１０を製造するには、まず、第１の型枠である上型枠１０１と第２の型枠である下型枠１０２とを組み付ける。
その際、上型枠１０１と下型枠１０２とで金属板１２を把持するように、例えばボルト等を使って締め付けて取り付ける。
その後、上型枠のキャビティ１０１Ａと下型枠のキャビティ１０２Ａ内にコンクリートを充填させる。
【００２４】
流し込まれたコンクリートは、金属板の内穴１２Ａを通じてキャビティ１０１Ａおよびキャビティ１０２Ａの全体に充填一体化される。
コンクリートが固化した後、ボルト１０３を外して上型枠１０１および下型枠１０２を離型する。
これで、ブロック本体１１と金属板１２とが一体化され、図１のようなブロック本体の表面から金属板を延出させた漁礁ブロック１０が形成される。
【００２５】
この漁礁ブロック１０によれば、ブロック本体１１の外周からフランジ状の金属板１２が延出されているため、金属板１２の表面積を極力大きくすることができる。
そのため海底に投下した後は、錆易く、イオン発生作用を高めるため、海草等が付着繁茂し易い。
その結果、金属板１２による集魚効果が高まるのである。
なお、金属板１２の表面に集魚効果の高い物質、例えば、集魚機能を有する有機物質等を含んだ薬剤（例えば、カゼイン、アルブミン等のタンパク質やその誘導体等に保存剤や固定剤を含有させたもの）を塗布しておくことによって、より集魚効果が高まることとなる。
【００２６】
一方、投下された海底では、延出した金属板１２のかげに魚が隠れることができ、集まった魚の居場所を確保することができるため有効に魚巣を造ることが可能となる。
さらに、ブロック本体１１に挟み込むように金属板１２を設けることにより、漁礁ブロック１０が強化される。
【００２７】
〔第２の実施の形態〕
つぎに、本発明の漁礁ブロックの第２の実施形態を説明する。
なお、以下の実施形態において、前述の第１の実施形態の場合と実質的に同一または対応する部材には同一符号を用いて説明するものとする。
図５は、本発明の漁礁ブロックの斜視図である。
また図６は、本発明の漁礁ブロックを示し、（Ａ）は正面図、（Ｂ）は側面図である。
【００２８】
漁礁ブロック１０の基本構成は、実質的に第１の実施形態の場合と同様であるが、この例では、特にブロック本体１１に金属板１２に沿って中空部１３を有することが特徴である。
中空部１３は、金属板１２の表裏面に対応する位置に十字状に貫通形成されている。
この実施の形態の漁礁ブロック１０を形成するには、型枠１００における金属板１２の表裏面に対応する位置に、中空部１３を成形するための図示しない十字状のコア型枠を付設することで可能となる。
【００２９】
このコア型枠が備わった型枠１００を用いて漁礁ブロック１０を製造すると、図５のような中空部１３を有する漁礁ブロック１０が形成される。
この実施の形態の漁礁ブロック１０においては、中空部１３を形成していることから、海水に金属板が露出する面積が大きくなるので、海草等の繁茂する領域が増し、恰好の魚の繁殖場となる。
【００３０】
〔第３の実施の形態〕
つぎに、本発明の漁礁ブロックの第３の実施形態を説明する。
図７は、本発明の漁礁ブロックの斜視図である。
また図８は、本発明の漁礁ブロックを示し、（Ａ）は正面図、（Ｂ）は側面図である。
漁礁ブロック１０の基本構成は、実質的に第１の実施形態の場合と同様であるが、この例では、特にブロック本体１１の中心部の位置に上下方向の中空部１４が貫通形成されているのが特徴点である。
中空部１４は、断面が円形や角形等が採用される。
【００３１】
この漁礁ブロック１０を形成するためには、型枠１００に対して金属板１２に垂直に中空部１４を成形するための図示しない柱状のコア型枠が付設される。
この型枠１００を用いて漁礁ブロック１０を形成すると、コア型枠によって図７のようなブロック本体１１の中心部に中空部１４を有する漁礁ブロック１０が形成される。
この実施の形態の漁礁ブロック１０においても、前述第２の実施の形態と同じように、中空部１４を形成していることから、海水に金属板が露出する面積が大きくなるので、海草等の繁茂する領域が増し、魚の繁殖場となる。
【００３２】
〔第４の実施の形態〕
つぎに、本発明の漁礁ブロックの第４の実施形態を説明する。
図９は、本発明の漁礁ブロックの斜視図である。
この漁礁ブロック１０は、金属板１２が厚み方向に屈曲されており、そのため、海水に対する露出面が大きくなるので、海草等の繁茂する領域が増す。
また、金属板１２の屈曲部が区画された空間を与えるため、魚の繁殖場となる。
【００３３】
〔第５の実施の形態〕
つぎに、図１０は、この実施形態の漁礁ブロックの斜視図である。
この漁礁ブロック１０は、金属板１２が矩形なので、海底に着床した場合、安定した状態が保てる利点がある。
【００３４】
〔第６の実施の形態〕
つぎに、本発明の漁礁ブロックの第６の実施形態を説明する。
図１１は、本発明の漁礁ブロックの斜視図であり、図１２は、図１１のＡーＡ断面である。
この漁礁ブロック１０は、ブロック本体１１の断面が矩形状となっており、また、第１の実施の形態と異なって、金属板の内穴１２Ａが区別されて２つあることが特徴である。
このブロック本体１１に筋変えが形成されるため強度が向上する。
【００３５】
〔第７の実施の形態〕
つぎに、図１３は、この実施形態の漁礁ブロックの斜視図である。
この漁礁ブロック１０は、第１の実施の形態において、金属板１２に多数の小孔Ｈが形成されていることが特徴である。
そのため海水に対する露出面が大きくなるので、海草等の繁茂する領域が増し、更に、小孔Ｈに根絡みが生じて安定した海草等の育成が可能となる。
【００３６】
〔第８の実施の形態〕
つぎに、図１４は、この実施の形態の漁礁ブロックの斜視図である。
この漁礁ブロックは、第１の実施の形態において、複数の金属板１２が挟み込まれて埋め込まれていることが特徴である。
金属板１２の間に空間が生ずるため、その間に海草等が繁茂し易く最適な魚の繁殖場となる。
【００３７】
〔第９の実施の形態〕
つぎに、図１５は、この実施の形態の漁礁ブロックの斜視図である。
この漁礁ブロック１０は、複数の金属板１２（ここでは２枚）が挟み込まれ埋め込まれており、その上、この金属板の間に仕切り板１５が設けられている。
そのため、仕切り板１５により形成される区画が好適な魚の繁殖場となる。
【００３８】
以上、本発明を説明してきたが、本発明は実施形態にのみ限定されるものではなく、その本質から逸脱しない範囲で、他の色々な変形例が可能であることは言うまでもない。
たとえば、ブロック本体や金属板の形状、数等は、図示した実施形態のみならず、その他の種々のものを適宜選択可能である。
また、金属板の表面に集魚効果の高い物質、例えば、集魚機能を有する有機物質等を含んだ薬剤を塗布しておくことによって、より効率的な集魚効果を得ることは、第１の実施の形態以外の他の実施の形態においても、当然、適用可能である。
【００３９】
【発明の効果】
以上説明したように本発明によれば、複雑な製造設備等を用いることなく、簡単な型枠でこの種の漁礁ブロックを容易に製造することができる。
そのため、有効に低コスト化を図ることができる。
そして、ブロック本体から金属板を延出させたことにより、海草等の繁茂を促し、高い集魚効果を実現する等の利点を有している。
【図面の簡単な説明】
【図１】図１は、本発明の第１の実施形態における漁礁ブロックを示す斜視図である。
【図２】図２は、本発明の第１の実施形態における漁礁ブロックを示し、（Ａ）は正面図、（Ｂ）は側面図である。
【図３】図３は、図１におけるＡ−Ａ断面図である。
【図４】図４は、本発明の第１の実施形態における漁礁ブロックの型枠を示す。
【図５】図５は、本発明の第２の実施形態における漁礁ブロックを示す斜視図である。
【図６】図６は、本発明の第２の実施形態における漁礁ブロックを示し、（Ａ）は正面図、（Ｂ）は側面図である。
【図７】図７は、本発明の第３の実施形態における漁礁ブロックを示す斜視図である。
【図８】図８は、本発明の第３の実施形態における漁礁ブロックを示し、（Ａ）は正面図、（Ｂ）は側面図である。
【図９】図９は、本発明の第４の実施形態における漁礁ブロックを示す斜視図である。
【図１０】図１０は、本発明の第５の実施形態における漁礁ブロックを示す斜視図である。
【図１１】図１１は、本発明の第６の実施形態における漁礁ブロックを示す斜視図である。
【図１２】図１２は、図１１におけるＡ−Ａ断面図である。
【図１３】図１３は、本発明の第７の実施形態における漁礁ブロックを示す斜視図である。
【図１４】図１４は、本発明の第８の実施形態における漁礁ブロックを示す斜視図である。
【図１５】図１５は、本発明の第９の実施形態における漁礁ブロックを示す斜視図である。
【符号の説明】
１０…漁礁ブロック
１１…ブロック本体
１１Ａ…ブロック本体外形
１１１…片ブロック体
１１２…片ブロック体
１２…金属板
１２Ａ…内穴
１２Ｂ…ボルト穴
１３，１４…中空部
１５…仕切り板
１００…型枠
１０１…上型枠
１０１Ａ…キャビティ
１０１Ｂ…リブ
１０２…下型枠
１０２Ａ…キャビティ
１０２Ｂ…リブ
１０３…ボルト
Ｈ…小孔
【図１】
0004229306.tif 000002
【図２】
0004229306.tif 000003
【図３】
0004229306.tif 000004
【図４】
0004229306.tif 000005
【図５】
0004229306.tif 000006
【図６】
0004229306.tif 000007
【図７】
0004229306.tif 000008
【図８】
0004229306.tif 000009
【図９】
0004229306.tif 000010
【図１０】
0004229306.tif 000011
【図１１】
0004229306.tif 000012
【図１２】
0004229306.tif 000013
【図１３】
0004229306.tif 000014
【図１４】
0004229306.tif 000015
【図１５】
0004229306.tif 000016